(57)【要約】【課題】従来のオーディオ装置では、セレクタ２２がＣＤ以外を処理対象ソースとしている期間に、ＣＤを挿入すると、後でユーザがワンタッチ録音を指示した時、それに先立ち該ＣＤの関連情報確定作業をユーザに行わせる。この場合、ユーザは、ワンタッチ録音が開始したものと思い込み、後で録音されていないことに気付く。これを防止する。【解決手段】ＣＤが挿入されると（Ｓ４１正）、処理対象ソースがＣＤでない場合は（Ｓ４２否）、表示部１５の表示をＣＤへ切替えてから、関連情報取得ルーチンＲ４３を実行する。Ｒ４３では、該ＣＤに係るアーティスト名、アルバム名及び楽曲名等の関連情報をハードディスク装置２８内等のデータベースにおいて検索し、ヒットした場合には（Ｓ４３正）、その関連情報を"該当無し"の選択肢と共に表示部１５に表示し、ユーザに選択又は確定させる。【選択図】図２
2010015623.tif 000002
【特許請求の範囲】
【請求項１】
セレクタにより複数の入力ソースの内から１つを処理対象ソースとして選択するコンテンツ処理装置であって、
選択された前記処理対象ソースに係わる表示を行う表示手段、
光ディスクの装填を検出する装填検出手段、
前記装填検出手段により装填が検出された光ディスクに対しその関連情報を所定のデータベースより取得する関連情報取得手段、及び
前記処理対象ソースが前記光ディスク以外である場合に前記装填検出手段により光ディスクの装填が検出されたとき、前記関連情報取得手段は前記データベースより前記光ディスクの関連情報を取得し、前記表示手段に前記関連情報を表示する処理手段、
を備えることを特徴とするコンテンツ処理装置。
【請求項２】
前記処理手段は、前記取得した関連情報を前記表示手段に所定時間表示し、所定時間経過後、前処理対象ソースに係わる表示に前記表示手段の表示を戻すことを特徴とする請求項１記載のコンテンツ処理装置。
【請求項３】
前記処理手段は、前記表示手段に前記関連情報を表示している期間に、装填中の光ディスクに適用する関連情報をユーザに確定させることを特徴とする請求項１又は２記載のコンテンツ処理装置。
【請求項４】
前記処理手段は、前記関連情報取得手段により取得した関連情報を表示手段に表示する処理を、前記セレクタの処理対象ソースを光ディスクに切替えることにより行うことを特徴とする請求項１〜３のいずれかに記載のコンテンツ処理装置。
【請求項５】
前記装填検出手段は、光ディスクが装填されたことを、該光ディスクの管理データ領域に記録されている管理データの読込みに基づき検出することを特徴とする請求項１〜４のいずれかに記載のコンテンツ処理装置。
【請求項６】
セレクタにより複数の入力ソースの内から１つを処理対象ソースとして選択するコンテンツ処理方法であって、
光ディスクの装填を検出する装填検出ステップ、
前記装填検出ステップにおいて装填が検出された光ディスクに対しその関連情報を所定のデータベースより取得する関連情報取得ステップ、及び
前記処理対象ソースが前記光ディスク以外である場合に前記装填検出ステップにおいて光ディスクの装填が検出されたとき、前記関連情報取得ステップにおいて取得した関連情報を表示手段に表示する処理ステップ、
を備えることを特徴とするコンテンツ処理方法。
【請求項７】
請求項１〜５のいずれかに記載のコンテンツ処理装置の各手段としてコンピュータを機能させるプログラム。
【発明の詳細な説明】
【技術分野】
【０００１】
本発明は、ＣＤ等の光ディスクに格納されているコンテンツに係る楽曲等の関連情報を所定のデータベースにおいて検索する機能を装備するコンテンツ処理装置、方法及びプログラムに関する。
【背景技術】
【０００２】
ＣＤの楽曲をＷＭＡやＭＰ３の圧縮ファイル形式のファイルでメモリに記録する、いわゆるリッピングの場合に、楽曲名等の関連情報をファイル名の中に含ませたり、タグとしてファイル内に格納したりして、関連情報を再生時の検索や表示に使用することは周知である。
【０００３】
特許文献１は、ＣＤからハードディスクへの楽曲のリッピングにおいて、ＣＤのＴＯＣ（Table Of Contents）情報に基づきハードディスク内のデータベースにおいて曲名等の関連情報を検索し（特許文献１の段落００５６及び００５９）、楽曲データと共に、検索により見付けた関連情報を楽曲データに対応付けて記録する（特許文献１の段落００６０、図２のＳ１１４、及び図４）ことを開示する。
【０００４】
図７は従来のオーディオ装置におけるＣＤ挿入時用ルーチン１００のフローチャートである。ＣＤ挿入時用ルーチン１００において、本発明についての後述の実施例のＣＤ挿入時用ルーチン４０（図２）のステップと処理内容が同一のステップについては、ＣＤ挿入時用ルーチン４０のステップのステップ番号と同一のステップ番号を付けて、詳細な説明は省略し、ＣＤ挿入時用ルーチン１００の主要点についてのみ述べる。
【０００５】
従来のＣＤ挿入時用ルーチン１００では、Ｓ４２の判定が否であるとき、Ｒ４３の関連情報取得ルーチンを実行せずに、直ちにＣＤ挿入時用ルーチン１００を終了するようにしている。Ｒ４３の関連情報取得ルーチンとは、本発明の実施例に関連する後述の図３において説明するように、装填したＣＤに係る関連情報（例：アーティスト名、アルバム名及び楽曲名）を所定のデータベースから取得するルーチンである。
【０００６】
図８は従来のワンタッチ録音ルーチン１１０のフローチャートである。ワンタッチ録音ルーチン１１０において、本発明についての後述の実施例のワンタッチ録音ルーチン６７（図４）のステップと処理内容が同一のステップについては、ＣＤ挿入時用ルーチン４０のステップのステップ番号と同一のステップ番号を付けて、詳細な説明は省略し、ＣＤ挿入時用ルーチン１００の主要点についてのみ述べる。
【０００７】
従来のワンタッチ録音ルーチン１１０では、Ｓ６８正の後又はＳ６９の後とＳ７０との間にＳ１１１及びＲ４３が挿入されていることである。すなわち、ユーザよりワンタッチ録音の指示を受け付けてから、Ｓ１１１において、ＣＤに関連情報を対応付けているか否かを判定し、対応付けがなされていなければ、関連情報取得ルーチンＲ４３を実行してから、Ｓ７０のリッピングを開始するようにしている。Ｓ１１１において、ＣＤにその関連情報が対応付けられていないと判定されるのは、ＣＤ挿入時用ルーチン１００（図７）において、Ｓ４２の判定が否となり、関連情報取得ルーチンＲ４３を省略した場合である。
【特許文献１】特開２００２−２３０９４５号公報
【発明の開示】
【発明が解決しようとする課題】
【０００８】
ユーザは、操作部のワンタッチ録音キーを操作すれば、一々、表示部の表示を見ることなく、ＣＤの全楽曲についてのリッピンクが開始されたものと思い込み易い。しかるに、処理対象ソースがＣＤになっていない期間に挿入したＣＤは関連情報が未取得となっており、ワンタッチ録音が指示されると、挿入中のＣＤの関連情報を取得するために、挿入中のＣＤの関連情報が複数見付かったときに、ユーザが複数の関連情報の中から該ＣＤに対応付ける関連情報を選択する操作を行うようになっている。さらには、関連情報が１つしか見付からなかった場合でも、それが挿入中のＣＤの関連情報としてふさわしくない場合もあり、ユーザが「該当無し」の選択肢を含む１以上の関連情報の選択肢の中から該ＣＤに対応付けるものを選択する操作を行うようになっている。このような場合、ユーザは、ワンタッチ録音操作のみでＣＤの記録が進行しているものと思い込んで、後からワンタッチ録音が進行していないことに気づき、時間を無駄にしたり、録音が失敗したりすることがある。
【０００９】
特許文献１は、装填中の光ディスクについて検索した関連情報を各リッピングファイルに対応付けてメモリに保存することを開示するものの、関連情報が未確定のまま、セレクタの処理対象ソースがＣＤ以外になっている期間に、ＣＤに係る指示があったときに、関連情報未確定に起因する問題に対処する技術についてはなんら言及していない。
【００１０】
本発明の目的は、複数の入力ソースから１つを処理対象ソースとして選択するようになっているコンテンツ処理装置に対して、処理対象ソースが光ディスク以外となっている場合であっても、光ディスクの関連情報を対応付け可能とし、関連情報を必要とする処理に係るユーザ指示がなされた場合に、ユーザの手間を省いて、該処理を速やかに開始させることができるようにしたコンテンツ処理装置、方法及びプログラムを提供することである。
【課題を解決するための手段】
【００１１】
本発明によれば、ＣＤ等の光ディスクが装填された時には、処理対象ソースが光ディスク以外であっても、該光ディスクの関連情報を所定のデータベースにおいて取得し、取得した関連情報を表示手段に直ちに表示するようにする。取得した関連情報は、単一とは限らず、複数の場合もある。典型的には、取得した関連情報と"該当無し"とを選択肢にしてユーザに表示し、これら選択肢の中から１つをユーザに直ちに選択させて、該光ディスクの関連情報を予め確定しておくことにする。そして、後からの例えばワンタッチ録音等のユーザ指示の時には、該光ディスクの関連情報についての確定操作を省いて、該ユーザ指示対応の処理を開始する。
【００１２】
本発明のコンテンツ処理装置は、セレクタにより複数の入力ソースの内から１つを処理対象ソースとして選択するものであって、次の手段を備える。
選択された前記処理対象ソースに係わる表示を行う表示手段、
光ディスクの装填を検出する装填検出手段、
前記装填検出手段により装填が検出された光ディスクに対しその関連情報を所定のデータベースより取得する関連情報取得手段、及び
前記処理対象ソースが前記光ディスク以外である場合に前記装填検出手段により光ディスクの装填が検出されたとき、前記関連情報取得手段は前記データベースより前記光ディスクの関連情報を取得し、前記表示手段に前記関連情報を表示する処理手段。
【００１３】
本発明のコンテンツ処理方法は、セレクタにより複数の入力ソースの内から１つを処理対象ソースとして選択するものであって、次のステップを備える。
光ディスクの装填を検出する装填検出ステップ、
前記装填検出ステップにおいて装填が検出された光ディスクに対しその関連情報を所定のデータベースより取得する関連情報取得ステップ、及び
前記処理対象ソースが前記光ディスク以外である場合に前記装填検出ステップにおいて光ディスクの装填が検出されたとき、前記関連情報取得ステップにおいて取得した関連情報を表示手段に表示する処理ステップ。
【００１４】
本発明のプログラムは、前述のコンテンツ処理装置の各手段としてコンピュータを機能させる。
【発明の効果】
【００１５】
本発明によれば、光ディスクが装填された時には、セレクタが光ディスクではない場合であっても、該光ディスクの関連情報を所定のデータベースにおいて検索し、見付かった関連情報を表示手段に表示するので、ユーザは、関連情報確定の必要性を光ディスクの装填時に気付き、対応のユーザ作業を光ディスクの装填時に行うように仕向けられる。こうして、後から、関連情報を必要とする処理に係るユーザ指示（例：ワンタッチ録音）がなされた場合に、該処理は、ユーザが存在を気づき難いユーザ作業により開始を遅らされることなく、直ちに開始することになる。
【発明を実施するための最良の形態】
【００１６】
図１はシステムコンポ１０の構成図である。セレクタ１１は、システムマイコン１４からの制御信号に基づきチューナ（具体的にはラジオチューナ）１３、アナログ入力端子１８及びその他（図示せず）からのアナログ信号の１つを選択して、ＡＤＣ（アナログ／デジタル変換器）２０へ出力する。ＣＤメカ部１２は、それへ装填されたＣＤから読み出したデータを、デジタル信号としてＤＳＰ（Digital Signal Processor）２１へ送る。ＡＤＣ２０は、セレクタ１１からのアナログ信号をデジタル信号へ変換して、ＤＳＰ２１へ出力する。
【００１７】
表示部１５は、システムマイコン１４からの表示データに基づきテキスト等の情報を表示する。操作部１６は、種々のキーを装備し、ユーザ操作のあったキーに係る情報をシステムマイコン１４へ出力する。送受信部１７は、ルータ（図示せず）を介してインターネットへ接続され、インターネットのサーバ等との間でデータを送受する。
【００１８】
システムマイコン１４は、操作部１６、送受信部１７及びＤＳＰ２１からデータを入力され、それらからの入力に基づき所定の処理を行うとともに、セレクタ１１、表示部１５、送受信部１７及びＤＳＰ２１へデータや制御信号を出力する。
【００１９】
ＤＳＰ２１は、外部ＲＡＭ２３を使用しつつ、エンコードやデコード等の種々の演算を実行する。システムコンポ１０は、メモリカード用スロット２４及びＵＳＢコントローラ２６を装備し、メモリカード２５及びＵＳＢメモリ２７が、それぞれメモリカード用スロット２４及びＵＳＢコントローラ２６へ着脱自在に装着されるようになっている。メモリカード２５は、例えば、ＳＤカードやメモリスティックである。
【００２０】
システムコンポ１０は、さらに、内蔵メモリとしてハードディスク装置２８を備えている。ＤＳＰ２１はハードディスク装置２８との間でもデータを送受する。セレクタ２２は、ＤＳＰ２１においてソフトウェアで実現され、処理対象ソースを決定する。処理対象ソースは、操作部１６における処理対象ソースの選択の直接的なユーザ指示の他に、操作部１６におけるワンタッチ録音指示等の所定のユーザ指示によって決定される。
【００２１】
装着中のメモリカード２５及びＵＳＢメモリ２７やハードディスク装置２８に格納されているＭＰ３やＷＭＡ等のオーディオファイル（典型的には楽曲ファイル）は、そのデータをＤＳＰ２１により読み出されて、デコードされ、ＤＡＣ（デジタル／アナログ変換器）３１へ送られる。ＤＡＣ３１は、デジタルのオーディオ信号をアナログのオーディオ信号へ変換する。ＤＡＣ３１からのアナログのオーディオ信号は、アンプ部３２において増幅されてから、スピーカ３３により出力される。
【００２２】
ＵＳＢコントローラ２６には、ＵＳＢメモリ２７に代えて、ＵＳＢケーブルの親側のコネクタを接続することもできる。これにより、携帯型デジタルオーディオプレーヤ等がＵＳＢケーブルを介してシステムコンポ１０へ適宜接続される。メモリカード２５、ＵＳＢメモリ２７、内蔵ハードディスク及び携帯型デジタルオーディオプレーヤ内蔵のフラッシュメモリ等は、それ自体がデータを読み書き自在の記録メディアとなっているか、又は記録メディアを装備しているかしており、システムコンポ１０は、接続中、装着中、又は内蔵中の記録メディア間においてオーディオファイルをユーザ指示に基づき移動したり、複写したりできるようになっている。
【００２３】
図２はＣＤ挿入時用ルーチン４０のフローチャートである。Ｓ４１では、ＣＤがＣＤメカ部１２へ挿入されたか否かを判定し、判定が正になりしだい、Ｓ４２へ進む。Ｓ４２では、セレクタ２２が処理対象ソースとしてＣＤを選択しているか否かを判定し、判定が正であれば、Ｒ４３の関連情報取得ルーチンへ進んで、Ｒ４３の関連情報取得ルーチンを実行してから、ＣＤ挿入時用ルーチン４０を終了する。また、Ｓ４２の判定が否であれば、Ｓ４６へ進む。なお、「処理対象ソース」の「処理」とは、例えば再生処理である。Ｒ４３の関連情報取得ルーチンの詳細は図３で後述する。
【００２４】
Ｓ４６では、表示部１５の表示をＣＤに関わる表示へ切替える。Ｓ４６の後、Ｒ４３の関連情報取得ルーチンを実行してから、Ｓ４７へ進む。Ｓ４７では、Ｒ４７における関連情報の表示後、所定時間が経過したか否かを判定し、判定が正になりしだい、Ｓ４８へ進む。Ｓ４８では、表示部１５の表示をＳ４６の実行前の表示に戻す。Ｓ４８の後、ＣＤ挿入時用ルーチン４０を終了する。
【００２５】
図３は関連情報取得ルーチンＲ４３のフローチャートである。Ｓ５５では、挿入されたＣＤに対し、その関連情報を関連情報用のデータベースより検索する。データベースにおける検索では、該ＣＤの識別子が必要になるが、識別子として例えば該ＣＤのＴＯＣ情報や、オーディオ波形認識技術による各楽曲に特有の「サウンド指紋（フィンガープリント）」を利用する。関連情報用のデータベースは、ハードディスク装置２８内又はインターネットのサーバに存在する。システムコンポ１０は、サーバのデータベースからは送受信部１７を介して関連情報を取得する。関連情報は、例えば楽曲名、アーティスト名、アルバム名及び／又はジャンルを含む。
【００２６】
Ｓ５６では、Ｓ５５の検索において該当する関連情報が有ったか否かを判定し、判定が正であれば、Ｓ５７へ進み、否であれば、Ｓ６２へ進む。Ｓ５６の判定が正である場合の関連情報の該当件数は、１に限定されず、２以上であることもある。データベースの検索において該当した関連情報が１以上であっても、どの関連情報も、今回挿入のＣＤの関連情報として不適切なことがある。したがって、該当無しも各関連情報と共に１選択肢にして、次のＳ５７のユーザ選択による関連情報の確定処理を実施する。
【００２７】
Ｓ５７では、該当無しも含めて、該当する全部の関連情報を選択肢にして表示部１５に表示して、ユーザに１つの選択肢を選択させる。この表示では、各関連情報に対応付けて例えばジャケット写真、ディスク番号、楽曲一覧等を表示し、ユーザが複数の関連情報より所望の関連情報を選択できるようにすることが好ましい。
【００２８】
Ｓ５８では、ユーザが選択した関連情報を取得して、その内容を表示部１５に表示する。Ｓ５９では、Ｓ５８で取得した関連情報を挿入中のＣＤに対応付ける。これにより、該ＣＤの関連情報が確定される。なお、ユーザがＳ５７において該当無しの選択肢を選択した場合には、該ＣＤは後述のＳ６３と同様に、関連情報の該当無しを対応付けられる。Ｓ５９の後、関連情報取得ルーチンＲ４３の呼出し元へ戻る。
【００２９】
Ｓ６２では、該当する関連情報無しを表示部１５に表示する。Ｓ６３では、挿入中のＣＤに関連情報の該当無しを対応付ける。Ｓ６３の後、関連情報取得ルーチンＲ４３の呼出し元へ戻る。
【００３０】
図４はワンタッチ録音ルーチン６７のフローチャートである。ワンタッチ録音ルーチン６７は、ユーザが操作部１６のワンタッチ録音キーを押下した時に実施される。Ｓ６８では、セレクタ２２が処理対象ソースとしてＣＤを選択しているか否かを判定し、判定が正であれば、Ｓ７０へ進み、否であれば、Ｓ６９を経てＳ７０へ進む。Ｓ６９では、セレクタ２２の処理対象ソースをＣＤへ切替える。
【００３１】
Ｓ７０では、リッピングを開始する。該リッピングでは、ＣＤ内の各楽曲が、ＣＤ挿入時用ルーチン４０の関連情報取得ルーチンＲ４３のＳ５９において該ＣＤに対応付けた関連情報が、ファイル名の中に含められたり、ファイル内のタグ領域に格納されたりしたファイルでメモリに格納される。該メモリは、メモリカード２５、ＵＳＢメモリ２７又はハードディスク装置２８であり、ユーザがワンタッチ録音指示に先立ち、設定したものである。楽曲ファイルは、例えばＷＭＡやＭＰ３の圧縮オーディオファイルである。なお、該ＣＤに対して、ＣＤ挿入時用ルーチン４０の関連情報取得ルーチンＲ４３のＳ６３で、関連情報無しを対応付けたり、Ｓ５７でユーザが表示部１５の該当無しの選択肢を選択したりした場合には、ＣＤの各楽曲は、関連情報無しのファイルでメモリに格納されることになる。
【００３２】
こうして、ワンタッチ録音ルーチン６７では、ユーザがワンタッチ録音を指示した時は、その時の処理対象ソースがＣＤ以外であっても、リッピングが速やかに開始される。従来のワンタッチ録音ルーチン１１０（図８）では、ユーザがワンタッチ録音を指示した時の処理対象ソースがＣＤ以外であり、かつ該関連情報に適用する関連情報が未確定となっている場合には、リッピング開始（図８のＳ７０）までに、該ＣＤの関連情報を確定する処理（図８のＳ１１１否→Ｒ４３）が実施され、ユーザはそれに気付かず、リッピンクが行われているものと思い込んで、後からリッピングが行われていないことに気づき、時間が無駄になったり、録音が失敗したりすることがあった。
【００３３】
図５はコンテンツ処理装置75の機能ブロック図である。前述のシステムコンポ１０はコンテンツ処理装置75の一例である。コンテンツ処理装置75は、オーディオ装置に限定されず、ビデオ装置であってもよい。コンテンツ処理装置75は典型的には録再装置である。コンテンツ処理装置75は、セレクタ81により複数の入力ソースの内から１つを処理対象ソースとして選択する。コンテンツ処理装置75は、さらに、表示手段76、装填検出手段77、関連情報取得手段78及び処理手段79を備える。
【００３４】
表示手段76は、選択された処理対象ソースに係わる表示を行う。装填検出手段77は、光ディスクの装填を検出する。関連情報取得手段78は、装填検出手段77により装填が検出された光ディスクに対しその関連情報を所定のデータベース82より取得する。処理手段79は、処理対象ソースが光ディスク以外である場合に装填検出手段77により光ディスクの装填が検出されたとき、関連情報取得手段78は、データベース82より光ディスクの関連情報を取得し、表示手段76に関連情報を表示する。
【００３５】
入力ソースは、光ディスクの他に、例えばチューナが含まれる。光ディスクはＣＤに限定されず、ＤＶＤであってもよい。処理対象ソースの処理対象とは、例えば再生対象や記録対象である。セレクタ81の一例はデータベース２２（図１）である。データベース82は、コンテンツ処理装置75のメモリに格納されているものであってもよいし、インターネット上のサーバに装備されているものであってもよい。
【００３６】
関連情報取得手段78は、該当する関連情報をデータベース82において１つだけではなく、２以上取得する場合もある。該当する関連情報が２以上である場合は、ユーザがそのどれか１つを選択して、装填中の光ディスクに対応付ける操作が典型的には必要とされる。また、取得した関連情報が１であろうが２以上であろうが、ユーザは装填中の光ディスクに対応付ける関連情報はないと判断することもある。関連情報取得手段78は、セレクタ81における検索により取得した関連情報が２以上である場合に限り、関連情報を表示手段76に表示してもよいし、データベース82における検索により関連情報が１つでも取得すれば、取得した関連情報を"該当無し"の選択肢と共に表示手段76に表示してもよい。なお、前述のシステムコンポ１０の例では、該当する関連情報が見付かれば、その個数に関係なく、Ｓ５７（図３）において該関連情報を"該当無し"の選択肢と共に表示部１５に表示している。
【００３７】
関連情報は、アーティスト名、アルバム名、楽曲名及び／又はジャンル等を含む。関連情報は例えば、リッピングの際に、ファイルの名前に含められたり、ファイルのタグ領域に格納されたりして、該ファイルを再生する時の関連情報表示や所望ファイルの検索等に利用される。
【００３８】
コンテンツ処理装置75では、光ディスクが装填が検出されると、装填時のセレクタ81の処理対象ソースが光ディスク以外であっても、データベース82で検索した関連情報を表示手段76に表示するので、ユーザは、後で必要になるかもしれない光ディスクの関連情報に対するユーザ指示を光ディスクの装填時に済ませておくことになり、これにより、後からのユーザ指示に基づく処理であって関連情報を必要とする処理では、光ディスクの関連情報に対するユーザ指示の介在に因る問題発生を防止することができる。
【００３９】
好ましくは、処理手段79は、取得した関連情報を表示手段76に所定時間表示し、所定時間経過後、前処理対象ソースに係わる表示に表示手段76の表示を戻す。例えば、ユーザは、該光ディスクに対して特にリッピングして、リッピング対象の各コンテンツに関連情報を対応付けて記録したり、リッピングはせずに、再生のみを考えており、その再生時にも関連情報の表示は特に必要ないと考えていたりする場合もある。そのような場合には、煩雑な操作を強制されたくないと思うのが普通である。表示手段76への関連情報の表示にもかかわらず、ユーザが該表示に対応する操作を所定時間以上、行わなかった場合には、ユーザは光ディスクに対する関連情報の確定は不要であると考えたものと判断し、関連情報の表示を終了する。
【００４０】
典型的には、処理手段79は、表示手段76に関連情報を表示している期間に、装填中の光ディスクに適用する関連情報をユーザに確定させる。これにより、以降、例えば、処理対象ソースが光ディスク以外である期間に、ワンタッチ録音がユーザより指示された場合には、リッピンクが即座に開始されて、関連情報付きのファイルを作成することができる。
【００４１】
なお、表示手段76における該関連情報表示は、典型的には、データベース82における検索により関連情報が複数、見付かった場合にそれら複数の関連情報から１つの関連情報をユーザに確定させるための表示であるが、前述したように、データベース82で見付かった全関連情報がいずれも該装填中の光ディスクの関連情報に該当しない場合や、データベース82で単一の関連情報しか見付からなくても、該単一の関連情報が該装填中の光ディスクの関連情報に該当しない場合があり得る。したがって、表示手段76における該関連情報表示は、データベース82で見付かった関連情報が単一又は複数に関係なく、それら関連情報を"該当無し"と共に選択肢にして、表示手段76に表示し、ユーザにそれら選択肢の中から１つを選択させて、確定させることが好ましい。
【００４２】
典型的には、処理手段79は、関連情報取得手段78により取得した関連情報を表示手段76に表示する処理を、セレクタ81の処理対象ソースを光ディスクに切替えることにより行う。典型的なコンテンツ処理装置75では、処理対象ソースが光ディスクになっている時に、光ディスクが装填されれば、図７の従来のＣＤ挿入時用ルーチン１００のＳ４１→Ｓ４２正→Ｒ４３で説明したように、関連情報検索及びユーザ選択による関連情報確定の処理が実施されるようになっているので、コンテンツ処理装置75でも、セレクタ81の処理対象ソースを光ディスクに切替える処理が、セレクタ81の処理対象ソースを光ディスクに切替えるだけで、行われ、結果、従来装置に対するコンテンツ処理装置75の追加又は変更部分を最小限に抑制することができる。
【００４３】
好ましくは、装填検出手段77は、光ディスクが装填されたことを、該光ディスクに管理データ領域に記録されている管理データの読込みに基づき検出する。管理データとは例えばＣＤのＴＯＣ情報である。ＴＯＣ情報が読み込まれたならば、光ディスクとしてのＣＤが読込まれたと検出することができる。
【００４４】
図６はコンテンツ処理方法８６のフローチャートである。コンテンツ処理方法８６は、コンテンツ処理装置75に適用されるものであり、セレクタ81により複数の入力ソースの内から１つを処理対象ソースとして選択する。Ｓ８７では、光ディスクの装填が装填されたか否かを判定し、判定が正であれば、Ｓ８８へ進み、否であれば、コンテンツ処理方法８６を終了する。Ｓ８８では、装填された光ディスクに対しその関連情報を所定のデータベース82より取得する。
【００４５】
Ｓ８９では、処理対象ソースが光ディスク以外であるか否かを判定し、判定が正であれば、Ｓ９０へ進み、否であれば、コンテンツ処理方法８６を終了する。Ｓ９０では、ｓ８８において取得した関連情報を表示手段76に表示する。
【００４６】
Ｓ８７，Ｓ８８の処理は、コンテンツ処理装置75（図５）の装填検出手段77及び関連情報取得手段78の機能にそれぞれ対応している。したがって、装填検出手段77及び関連情報取得手段78の機能について述べた具体的態様はＳ８７，Ｓ８８の処理についての具体的態様としても適用可能である。Ｓ８９，Ｓ９０の処理はコンテンツ処理装置75の処理手段79の機能に対応している。したがって、処理手段79の機能について述べた具体的態様はＳ８９，Ｓ９０の処理についての具体的態様としても適用可能である。
【００４７】
本発明を適用したプログラムは、コンピュータをコンテンツ処理装置７５の各手段として機能させる。本発明を適用した別のプログラムは、コンテンツ処理方法８６の各ステップをコンピュータに実行させる。
【００４８】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４９】
【図１】システムコンポの構成図である。
【図２】ＣＤ挿入時用ルーチンのフローチャートである。
【図３】関連情報取得ルーチンのフローチャートである。
【図４】ワンタッチ録音ルーチンのフローチャートである。
【図５】コンテンツ処理装置の機能ブロック図である。
【図６】コンテンツ処理方法のフローチャートである。
【図７】従来のオーディオ装置におけるＣＤ挿入時用ルーチンのフローチャートである。
【図８】従来のワンタッチ録音ルーチンのフローチャートである。
【符号の説明】
【００５０】
７５：コンテンツ処理装置、７６：表示手段、７７：装填検出手段、７８：関連情報取得手段、７９：処理手段、８１：セレクタ、８２：データベース、８６：コンテンツ処理方法。
【図１】
2010015623.tif 000003
【図２】
2010015623.tif 000004
【図３】
2010015623.tif 000005
【図４】
2010015623.tif 000006
【図５】
2010015623.tif 000007
【図６】
2010015623.tif 000008
【図７】
2010015623.tif 000009
【図８】
2010015623.tif 000010